(57)【要約】【課題】  光学的調整を行うことなく、副走査方向の曲がり、傾き量が補正可能な印刷装置において、光学的調整を行う印刷装置と圧縮方法を変えることなく、同等の圧縮率を得る。【解決手段】  曲がり、傾き量の変化を検出した時点の、曲がり、傾き量を補正したデータを基に、圧縮のパラメータの算出をする。【選択図】  図１
2010115870.tif 000002
【特許請求の範囲】
【請求項１】
副走査方向の曲がり、傾きが動的に変化し、光学的調整を行うことなく曲がり、傾きを補正可能な印刷装置において、画像の圧縮のパラメータに影響を与える、曲がり、傾き量の変化を検出する手段と、曲がり、傾き量の変化を検出した時点の、曲がり、傾き量を補正したデータを基に、圧縮のパラメータの算出を指示する手段と、曲がり、傾き量を補正したデータに対し、圧縮のパラメータを算出する手段と、算出した圧縮のパラメータを用いて画像データの圧縮を行う手段とを有することを特徴とする印刷装置。
【請求項２】
色ずれ補正を実行した後、曲がり、傾き量の変化を検出し、検出時の曲がり、傾き量を補正したデータに対して、圧縮のパラメータの算出を行うことを特徴とする請求項1に記載の印刷システム。
【請求項３】
環境変化を検出し、検出時の曲がり、傾き量を補正したデータに対して、圧縮のパラメータの算出を行うことを特徴とする請求項1に記載の印刷システム。
【請求項４】
前記環境変化とは、温度変化、湿度変化、一定時間経過のいずれか又は全部を含むことを特徴する請求項3記載の印刷システム。
【請求項５】
ユーザの指示により、指示受付時の曲がり、傾き量を補正したデータに対して、圧縮のパラメータの算出を行うことを特徴とする請求項1に記載の印刷システム。
【発明の詳細な説明】
【技術分野】
【０００１】
本発明は、光学的調整を行うことなく、副走査方向の曲がり、傾きを補正して印刷を行う印刷装置において、画像を圧縮する際、光学的調整を行う印刷装置と同様の圧縮方法で、同等の圧縮率を得るための方法に関するものである。
【背景技術】
【０００２】
ホストマシンで生成された印刷イメージの圧縮に関しては多くの技術が知られている(例えば特許文献1参照)。また、印刷イメージのデータ特性に応じて、圧縮するか否か、圧縮する場合は圧縮方法を決定する技術がある(例えば特許文献2)。特許文献1では注目画素に対して相関の高い画素の位置を参照位置として、固定のパラメータ(以下圧縮パラメータ)として保持している。この圧縮パラメータを用い、圧縮を行っている。
【０００３】
近年、印刷装置の小型化に伴い、光学的調整を行うことなく、副走査方向の曲がり、傾きを補正して印刷を行う印刷装置がある(例えば特許文献3)。曲がり、傾きはスキャナの曲がり(固定)とITBベルトの傾き(可変)によるものである。曲がり、傾き量の変化の要因は複数あるが、色ずれ補正(以下レジ調整)を実行すると、多くの場合曲がり、傾き量は変化する。
【特許文献１】特開２００３−１７４５６１号公報
【特許文献２】特開平１０−２７８３６２号公報
【特許文献３】特開２００７−１２２４７８号公報
【発明の開示】
【発明が解決しようとする課題】
【０００４】
特許文献3に示されるような曲がり、傾きが動的に変化する印刷装置において、前述の固定の圧縮パラメータでは、動的な曲がり、傾きの変化に対応した補正データに対して、想定した圧縮率が得られない場合がある(図2、図3参照)。また特許文献2のようにデータ特性に応じて圧縮方法を変える場合も、動的な曲がり、傾きの変化は想定できていない。
【課題を解決するための手段】
【０００５】
上述した課題を解決するために、本発明は、副走査方向の曲がり、傾きが動的に変化し、光学的調整を行うことなく曲がり、傾きを補正可能な印刷装置において、画像の圧縮のパラメータに影響を与える、曲がり、傾き量の変化を検出する手段と、曲がり、傾き量の変化を検出した時点の、曲がり、傾き量を補正したデータを基に、圧縮のパラメータの算出を指示する手段と、曲がり、傾き量を補正したデータに対し、圧縮のパラメータを算出する手段と、算出した圧縮のパラメータを用いて画像データの圧縮を行う手段とを有することを特徴とする。
【発明の効果】
【０００６】
本発明によって、光学的調整を行うことなく、副走査方向の曲がり、傾き量を補正したデータに対しても、光学的調整を行う印刷装置と圧縮方法を変えることなく、同等の圧縮率が期待できる。
【発明を実施するための最良の形態】
【０００７】
次に、本発明の詳細を実施例の記述に従って説明する。
【実施例１】
【０００８】
図１は、本発明の実施の形態に係る印刷装置の画像形成部の概略構成図である。この画像形成部は電子写真方式でカラー画像を形成することができ、所謂、タンデム方式の構成を採っている。
【０００９】
画像形成部は、基本的には、図示しないプリント画像処理部から出力された画像データに基づいてビーム光を変調し、その変調されたビーム光をポリゴンミラー（図示省略）等で偏向させることにより、感光体を露光走査する。この露光走査により感光体の表面には、静電潜像が形成される。この静電潜像は、各色のトナーにより単色のトナー像として現像される。そして、各単色のトナー像が重畳されてフルカラー画像として中間転写体に転写され、この中間転写体上のトナーに係るフルカラー画像が記録媒体11上に転写・定着される。
【００１０】
タンデム方式では、イエロー(Y)、マゼンダ(M)、シアン(C)、ブラック(K)の各色の画像形成ステーションが分離独立して設けられている。すなわち、各色の画像形成ステーション毎に、それぞれ、感光体12(12Y、12M、12C、12K)、スキャナ部(露光操作部)14(14Y、14M、14C、14K)、トナーホッパー15(15Y、15M、15C、15K)、現像器16(16Y、16M、16C、16K)等を有している。また、各現像器(16Y、16M、16C、16K)には、それぞれ、スリーブ(16YS、16YM、16YC、16YK)が内蔵されている。
【００１１】
さらに、各色の画像形成ステーション毎に、それぞれ、感光体12を帯電させるための注入帯電器13(13Y、13M、13C、13K)を有し、各注入帯電器(13Y、13M、13C、13K)には、スリーブ(13YS、13MS、13CS、13KS)が内蔵されている。また、各感光体12(12Y、12M、12C、12K)と対向する位置には、中間転写体18を間に挟んで、一次転写ローラ17(17Y、17M、17C、17K)が配備されている。
【００１２】
図1の構成では、感光体12は、反時計回り方向に回転され、一次転写ローラ17と中間転写体18は、時計回り方向に回転される。感光体12Y、12M、12C、12K上で現像された各色の単色トナー像は、中間転写体18が回転する過程で順次重畳されていく形で、中間転写体18上に転写されていく。この場合、Y、M、C、Kの各色の画像形成ステーション間で、感光体12を露光走査した際の走査線のずれ方などが異なっていると、色ずれが発生してしまうが、この色ずれは、補正処理により未然に防止される。
【００１３】
中間転写体18の回転に伴って、この中間転写体18上のトナーによるフルカラー画像が二次転写ローラ19の近傍まで搬送されてくると、二次転写ローラ19は、図1に破線の丸印で示した19bの位置から実線の丸印で示した19aの位置に移動し、記録媒体11に当接可能となる。この状態では、記録媒体11は、用紙カセット11a又は手差トレイ11bから二次転写ローラ19の近傍まで搬送されてきている。これにより、中間転写体18上のトナーによるフルカラー画像は、記録媒体11が二次転写ローラ19の位置を通過する過程で記録媒体11上に転写される。
【００１４】
そして、記録媒体11に転写されたトナーによるフルカラー画像は、記録媒体11が定着器21の位置を通過する過程で、記録媒体11上に定着される。なお、定着器21は、記録媒体11を加熱する定着ローラ22と、記録媒体11を定着ローラ22に圧接させるための加圧ローラ23を備えている。また、定着ローラ22と加圧ローラ23は中空状に形成され、内部にそれぞれヒータ24、25が内蔵されている。また、中間転写体18上の転写後の残留トナーは、クリーニング部20により中間転写体18から除去される。
【００１５】
図2は参考特許文献1で言及されている、圧縮のために、注目画素に対して固定のパラメータに従い参照位置が決定される場合の例である。
【００１６】
図3は、参考特許文献3に示されるような曲がり、傾きが動的に変化する印刷装置において、曲がり、傾き補正により画素位置が1画素上にずれた例を示している。この場合、図2の固定パラメータに従った参照位置では、本来参照するべき位置の1つ下の画素を参照することになる。参照位置は注目画素と相関が高い画素となるよう、パラメータにより算出されているため、本来参照すべき位置とは異なる画素を参照することにより、想定されている圧縮率が得られない可能性がある。
【００１７】
図4はレジ調整(色ずれ補正)実施後、曲がり、傾き量が変化した場合に、曲がり、傾き量を補正したデータに対し、有効な圧縮パラメータを計算、適用するフローである。ユーザ指示もしくは何らかの環境変化によってレジ調整が実施される(S401)。多くの場合、レジ調整を行うと曲がり、傾き量が変化する。変化があった場合(S402-Yes)、その時点での曲がり、傾き量を補正する補正量を算出し(S403)、補正量を考慮した圧縮パラメータを計算する(S404)。計算された圧縮パラメータをドライバに通知し(S405)、ドライバは印刷指示があると、通知された圧縮パラメータに従い圧縮を行う。
【実施例２】
【００１８】
実施例1ではレジ調整後、曲がり、傾き量の変化を検出して圧縮パラメータの計算を行うものであったが、図5では環境変化(温度、湿度変化、一定時間経過等)検出により、圧縮パラメータの計算を実施するフローである。環境変化を検出した場合(S501-Yes)、その時点での曲がり、傾き量を補正する補正量を算出し(S502)、補正量を考慮した圧縮パラメータを計算する(S503)。計算された圧縮パラメータをドライバに通知し(S504)、ドライバは印刷指示があると、通知された圧縮パラメータに従い圧縮を行う。
【００１９】
環境変化の要因は図示しないUIによりユーザが指定してもよいし、印刷装置側で予め定められたものでもよい。
【実施例３】
【００２０】
図６は、ユーザ指示による圧縮パラメータ計算フローである。
【００２１】
実施例3ではユーザの指示により、圧縮パラメータの計算、適用を行うフローである。図６において、図示しないUIよりユーザが圧縮パラメータの計算を指示する(S601)。その時点での曲がり、傾き量を補正する補正量を算出し(S602)、補正量を考慮した圧縮パラメータを計算する(S603)。計算された圧縮パラメータをドライバに通知し(S604)、ドライバは印刷指示があると、通知された圧縮パラメータに従い圧縮を行う。
【００２２】
ユーザが指示を行うUIはホスト上のアプリケーションであってもよいし、印刷装置に付属したパネル等からでもよい。
【図面の簡単な説明】
【００２３】
【図１】印刷装置の画像形成部のハードウェア概略構成図である
【図２】圧縮に関し、固定パラメータに従った注目画素と参照画素を示す
【図３】圧縮に関し、図2の補正後のデータにおける注目画素と参照画素を示す
【図４】レジ調整実行後の圧縮パラメータ計算フローである
【図５】環境変化検出後の圧縮パラメータ計算フローである
【図６】ユーザ指示による圧縮パラメータ計算フローである
【符号の説明】
【００２４】
11  記録媒体
17  一次転写ローラ
18  中間転写体
【図１】
2010115870.tif 000003
【図２】
2010115870.tif 000004
【図３】
2010115870.tif 000005
【図４】
2010115870.tif 000006
【図５】
2010115870.tif 000007
【図６】
2010115870.tif 000008